(57)【要約】【課題】撮影画像への広告の埋め込みを行う際に、撮影画像内のユーザにとって重要な領域が、広告で隠されることがない画像処理装置を提供する。【解決手段】撮影画像の全面に設定した広告の配置領域から、顔認識情報と、フォーカス枠情報と、日付写し込み情報と、撮影アシスト枠情報と、パノラマ撮影モード情報と、文字認識情報とに基づいて、除外する領域を決定する。除外した領域外に、広告配置部７３により広告を埋め込む。【選択図】図２
2009200784.tif 000002
【特許請求の範囲】
【請求項１】
被写体を撮像し、被写体像を表す第１画像信号を出力する撮像手段と、
前記被写体を撮像するための光学系を格納したカメラの撮影状況に関連した撮影情報と、前記被写体像に関する画像解析情報の両方またはいずれか一方に基づいて、前記第１画像信号と所定の広告画像信号とを合成した第２画像信号を出力する広告合成手段と、
を備えた画像処理装置。
【請求項２】
請求項１に記載の画像処理装置において、
前記撮影情報として、前記カメラのフォーカスエリア位置情報および／または日付写し込み位置情報を用いることを特徴とする画像処理装置。
【請求項３】
請求項１または２に記載の画像処理装置において、
前記第１画像信号を用いて、前記被写体中の人物の顔を検出する顔検出手段をさらに備え、
前記画像解析情報として、前記顔検出手段により検出された顔の位置情報を用いることを特徴とする画像処理装置。
【請求項４】
請求項１〜３のいずれか一項に記載の画像処理装置において、
前記第１画像信号を用いて、前記被写体中の文字を検出する文字検出手段をさらに備え、
前記画像解析情報として、前記文字検出手段により検出された文字の位置情報を用いることを特徴とする画像処理装置。
【請求項５】
請求項１〜４のいずれか一項に記載の画像処理装置において、
前記第１画像信号を用いて、前記被写体の輪郭を検出する輪郭検出手段をさらに備え、
前記画像解析情報として、前記輪郭検出手段により検出された輪郭の位置情報を用いることを特徴とする画像処理装置。
【請求項６】
請求項１〜５のいずれか一項に記載の画像処理装置において、
前記カメラの傾き情報を出力する傾き検出手段をさらに備え、
前記撮影情報として、前記傾き情報を用いることを特徴とする画像処理装置。
【請求項７】
請求項１〜５のいずれか一項に記載の画像処理装置において、
前記撮影情報として、撮像時における撮影アシスト枠の表示位置を用いることを特徴とする画像処理装置。
【請求項８】
請求項２〜７のいずれか一項に記載の画像処理装置において、
前記フォーカスエリア位置、前記日付写し込み位置、前記顔の位置、前記文字の位置、前記輪郭の位置および前記アシスト枠の表示位置を避けて、広告画像を合成することを特徴とする画像処理装置。
【請求項９】
請求項１〜８のいずれか一項に記載の画像処理装置において、
パノラマ撮影モード時には、隣接する画像との接合領域を避けて広告画像を合成することを特徴とする画像処理装置。
【請求項１０】
被写体を撮像し、被写体像を表す第１画像信号を入力する入力処理と、
前記被写体を撮像するための光学系を格納したカメラの撮影状況に関連した撮影情報と、前記被写体像に関する画像解析情報とに基づいて、前記第１画像信号と所定の広告画像信号とを合成した第２画像信号を出力する広告合成処理と、
をコンピュータで実施させることを特徴とするプログラム。
【発明の詳細な説明】
【技術分野】
【０００１】
本発明は、撮影画像の適切な位置へ広告画像の埋め込みを行う画像処理技術に関する。
【背景技術】
【０００２】
高機能なカメラを安価に提供するため、撮影画像に広告を埋め込むカメラが知られている（特許文献１）。このようなカメラでは、カメラの販売代金の一部を広告主からの広告料によって賄うことで、カメラの販売価格を下げることができる。
【０００３】
【特許文献１】特開２００３−２４４４８５号公報
【発明の開示】
【発明が解決しようとする課題】
【０００４】
従来のカメラでは、撮影画像への広告の埋め込みを、撮影画像の内容を考慮せずに行っていた。そのため、撮影画像内のユーザにとって重要な領域が、広告によって隠されてしまうという問題があった。
【課題を解決するための手段】
【０００５】
請求項１に係る発明は、被写体を撮像し、被写体像を表す第１画像信号を出力する撮像手段と、被写体を撮像するための光学系を格納したカメラの撮影状況に関連した撮影情報と、被写体像に関する画像解析情報の両方またはいずれか一方に基づいて、第１画像信号と所定の広告画像信号とを合成した第２画像信号を出力する広告合成手段とを備えた画像処理装置である。
請求項２に係る発明は、請求項１に記載の画像処理装置において、撮影情報として、カメラのフォーカスエリア位置情報および／または日付写し込み位置情報を用いる。
請求項３に係る発明は、請求項１または２に記載の画像処理装置において、第１画像信号を用いて、被写体中の人物の顔を検出する顔検出手段をさらに備え、画像解析情報として、顔検出手段により検出された顔の位置情報を用いる。
請求項４に係る発明は、請求項１〜３のいずれか一項に記載の画像処理装置において、第１画像信号を用いて、被写体中の文字を検出する文字検出手段をさらに備え、画像解析情報として、文字検出手段により検出された文字の位置情報を用いる。
請求項５に係る発明は、請求項１〜４のいずれか一項に記載の画像処理装置において、第１画像信号を用いて、被写体の輪郭を検出する輪郭検出手段をさらに備え、画像解析情報として、輪郭検出手段により検出された輪郭の位置情報を用いる。
請求項６に係る発明は、請求項１〜５のいずれか一項に記載の画像処理装置において、カメラの傾き情報を出力する傾き検出手段をさらに備え、撮影情報として、傾き情報を用いる。
請求項７に係る発明は、請求項１〜５のいずれか一項に記載の画像処理装置において、撮影情報として、撮像時における撮影アシスト枠の表示位置を用いる。
請求項８に係る発明は、請求項２〜７のいずれか一項に記載の画像処理装置において、フォーカスエリア位置、日付写し込み位置、顔の位置、文字の位置、輪郭の位置およびアシスト枠の表示位置を避けて、広告画像を合成する。
請求項９に係る発明は、請求項１〜８のいずれか一項に記載の画像処理装置において、パノラマ撮影モード時には、隣接する画像との接合領域を避けて広告画像を合成する。
請求項１０に係る発明は、被写体を撮像し、被写体像を表す第１画像信号を入力する入力処理と、被写体を撮像するための光学系を格納したカメラの撮影状況に関連した撮影情報と、被写体像に関する画像解析情報とに基づいて、第１画像信号と所定の広告画像信号とを合成した第２画像信号を出力する広告合成処理とをコンピュータで実施させることを特徴とするプログラムである。
【発明の効果】
【０００６】
本発明によれば、撮影画像への広告の埋め込みは、被写体および／またはカメラに関連した情報に基づいて行われる。これにより、撮影を行うユーザにとって重要な領域が、広告で隠されることがなくなる。
【発明を実施するための最良の形態】
【０００７】
――第１の実施の形態――
図面を用いて、本発明の一実施の形態によるデジタルカメラについて説明する。この実施の形態のデジタルカメラでは、撮影画像内における広告の配置領域を検出し、広告画像がその配置領域に含まれるように広告の埋め込みを行う。
【０００８】
図１（ａ）に示すように、カメラ本体１には撮影レンズ２が取り付けられている。カメラ本体１の上面にはレリーズボタン３、電源スイッチ４、撮影モードの設定操作を行なうモードダイヤル５が設けられている。図１（ｂ）に示すように、カメラ本体１の背面には液晶モニタ１４が設けられている。
【０００９】
図２は本実施の形態によるデジタルカメラの回路構成を示すブロック図である。デジタルカメラは、撮像素子６、制御回路７、ＤＲＡＭ８、フラッシュメモリ９、焦点調節装置１０、メモリカードインタフェース（Ｉ／Ｆ）１１、液晶モニタ１４、タイマー１５、傾き検知装置１６、および外部機器インタフェース（Ｉ／Ｆ）１７を備える。
【００１０】
撮像素子６は、画素に対応する複数の光電変換素子を備えたＣＣＤやＣＭＯＳイメージセンサによって構成される。撮像素子６は、撮像面上に結像されている被写体像を撮像し、被写体像の明るさに応じた光電変換信号（画像信号）を出力する。撮像素子６の撮像面には、それぞれＲ（赤）、Ｇ（緑）およびＢ（青）のカラーフィルタが画素位置に対応するように設けられている。撮像素子６がカラーフィルタを通して被写体像を撮像するため、各撮像素子から出力される画像信号は、それぞれＲＧＢ表色系の色情報を有する。
【００１１】
撮像素子６から出力された画像信号は制御回路７に入力される。制御回路７は、画像信号に対して種々の画像処理ならびに広告の埋め込み処理（後に詳述する）を行い、画像データを生成する。そして、制御回路７は生成された画像データに対してＪＰＥＧなどの所定の方式により圧縮処理を行い、ＥＸＩＦなどの形式で記録媒体１２へ記録する。
【００１２】
制御回路７は、たとえばＲＩＳＣなどで構成され、図２に示す各回路を制御する。また、制御回路７は顔検出部７１、文字検出部７２および広告配置部７３を機能的に備えている。顔検出部７１は、撮像素子６から出力された画像信号に基づいて、撮影画面内における人物の顔を検出する。すなわち、顔検出部７１は、画像信号に基づいて、撮影画面内の肌色の領域を抽出し、さらに、肌色領域内において、一対の目および鼻などの人物の顔を特徴付ける情報を抽出する。肌色領域内に顔特徴情報が抽出されると、その領域を顔領域として検出する。文字検出部７２は、撮像素子６から出力された画像信号に基づいて、撮影画面内における文字を検出する。広告配置部７３は、後述する処理を実行し、広告画像の撮影画像への埋め込みを行う。
【００１３】
焦点調節装置１０は、撮像素子６から出力される撮像信号に基づいて周知の焦点評価値演算を行い、演算結果を制御回路７へ出力する。制御回路７は、上記演算結果に基づいて、焦点評価値が最大となる位置へ撮影レンズ２を移動する。なお、顔検出部７１により顔検出が行なわれた場合は、制御回路７は撮影画面上で検出された顔に対応する画像信号に基づいて焦点調節を行う。
【００１４】
ＤＲＡＭ８は、画像処理、画像圧縮処理および表示用画像データ作成処理の途中や処理後のデータを一時的に格納するために使用される。表示用画像データは、制御回路７が撮像素子６からの出力に基づいて生成した画像データ、もしくは記録媒体１２に記録されている画像データに基づいて、制御回路７により生成される。生成された表示用画像データは、制御回路７によりＤＲＡＭ８に格納される。フラッシュメモリ９は、たとえば制御回路７が演算を行なうための各種の処理プログラムが記憶された不揮発性メモリである。
【００１５】
ＬＣＤ駆動回路１３は制御回路７の命令に基づいて液晶モニタ１４を駆動し、液晶モニタ１４は画像を表示する。液晶モニタ１４に表示される画像において、前述した顔検出部７１により被写体の顔が検出されている場合は、その顔の周囲に顔検出が行われたことを示す矩形枠が表示される。また、液晶モニタ１４は、デジタルカメラの各種設定メニュー画面の表示を行なう。
【００１６】
タイマー１５は制御回路７へ現在の日時を提供する。タイマー１５は、カメラ１の電源がオフとなっていても、図示しない電源によって駆動され続け、日時の計数を行う。制御回路７は、日付の写し込み機能が有効になっている場合、撮影画像の所定の位置へ撮影時の日付を描画する。傾き検知装置１６は、カメラ１の左右方向への傾きを検出し、制御回路７へ傾き情報を提供する。制御回路７は、傾き情報を用いることで、撮影画像における鉛直方向を認識することができる。
【００１７】
制御回路７は、外部機器インタフェース１７を通じて、外部機器１８と情報の送受信を行うことができる。情報の送受信の例としては、記録媒体１２に記録されている撮影画像を外部機器１８へ送信することや、外部機器１８から送信された撮影画像を液晶モニタ１４に表示することなどが挙げられる。
【００１８】
次に、本カメラの撮影動作について説明する。ユーザが電源スイッチ４を操作することにより電源がオンとなり、かつモードダイヤル５により撮影モードに切換えられると、制御回路７は撮影モードを設定する。制御回路７は、撮像素子６およびＬＣＤ駆動回路１３を制御することにより、たとえば１／３０秒の周期で液晶モニタ１４に表示される画像を更新する。すなわち、液晶モニタ１４には、被写体の動画像がスルー画として表示される。広告配置部７３は、スルー画には広告画像を配置しない。
【００１９】
スルー画表示中にユーザがレリーズボタン３を半押しして半押しスイッチ３ａがオンすると、撮影準備が指示される。顔認識機能が有効になっている場合、撮影準備指示に応じて、顔検出部７１は、撮像素子６から入力した画像信号を用いて顔検出処理を実行し、人物の顔を検出する。人物の顔が検出されると、顔検出部７１は検出した人物の顔の中心位置を特定し、制御回路７はその位置を中心とする矩形枠を液晶モニタ１４に表示する。その結果、液晶モニタ１４には、検出された人物の顔が枠で囲われて表示される。複数の顔が検出されると、検出された各顔に矩形枠が重ねて表示される。他方、顔認識機能が無効になっている場合、液晶モニタ１４には、制御回路７が焦点調節装置１０を制御するために用いた領域に、フォーカス枠が表示される。
【００２０】
スルー画表示中にユーザがレリーズボタン３を全押しして全押しスイッチ３ｂがオンすると、撮影が指示される。撮影指示に応じて、制御回路７は、撮像素子６から入力した画像信号に所定の画像処理を行う。その後、広告配置部７３によって、撮影画像に広告画像の埋め込みが行われる。最後に、撮影画像が記録媒体１２に記録される。このとき、広告配置部７３によって広告画像の埋め込みが行われた撮影画像は、液晶モニタ１４には表示されない。なお、所定の秒数（例えば、２秒間）だけ、液晶モニタ１４上に広告付き画像を表示することも勿論可能である。
【００２１】
次に、カメラ１の広告埋め込み機能について、例を挙げて説明する。図３は、広告が埋め込まれた撮影画像の例である。図３（ａ）には、広告を埋め込む前の撮影画像２０Ａが示されている。撮影画像２０Ａに対して、広告の埋め込みを行った例が、図３（ｂ）および図３（ｃ）である。図３（ｂ）の撮影画像２０Ｂには、画像の最上部に矩形の広告２１Ｂが埋め込まれている。また図３（ｃ）の撮影画像２０Ｃには、画像の上方右側に、楕円形の広告画像２１Ｃが埋め込まれている。このように、広告画像はどのような形状であってもよい。
【００２２】
カメラ１を左右に傾けて撮像を行った場合、傾き検知装置１６によってカメラ１の傾きが検出され、広告画像はカメラ１の傾きに基づいた形状で埋め込まれる。図４は、カメラ１を傾けて撮像を行い、広告画像を撮影画像の上部に埋め込んだときの撮影画像の例である。図４（ａ）には、カメラ１を傾けずに撮像を行ったときの広告埋め込み済み撮影画像２２Ａが示されている。広告画像２３Ａの横幅は撮影画像２２Ａの長辺の長さと同一となっている。一方、図４（ｂ）には、カメラ１を左に９０度傾けて撮像を行ったときの広告埋め込み済み撮影画像２２Ｂが示されている。このとき、広告画像２３Ｂの横幅は撮影画像２２Ｂの短辺の長さと同一となっている。また、図４（ｃ）のように、カメラ１を左に６０度傾けて撮像を行った場合、広告画像２３Ｃの形状は三角形となり、撮影画像２２Ｃの上部に埋め込まれる。
【００２３】
カメラ１は、撮影画像内の、ユーザにとって重要であると考えられる領域を避けて広告の埋め込みを行う。以下、カメラが広告埋め込みの際に避ける領域について、図を用いて説明する。図５は、カメラが広告の埋め込みを避ける領域を説明するための図である。
【００２４】
前述の通り、顔検出部７３は撮影画像から顔を検出し、図５（ａ）のように、液晶モニタ１４において、検出した顔の周囲に顔認識枠を表示する。広告の埋め込みを行う際には、顔認識枠２４および２５の領域を覆わないように広告画像を配置する。広告画像は、広告の配置領域で、撮影画像の中央からもっとも遠い位置に配置する。広告の配置領域に広告画像を配置できる空間が存在しない場合は、広告の配置領域を無視して、既定の位置へ（例えば、画面の左上または右下）広告画像を配置する。
【００２５】
顔認識機能が有効ではない場合、顔認識枠は液晶モニタ１４に表示されない。代わりに、液晶モニタ１４には、焦点を合わせた対象に重ねてフォーカス枠を表示する。フォーカス枠を表示した液晶モニタ１４の例が図５（ｂ）である。このとき、広告の埋め込みは、フォーカス枠２６を避けるようにして行われる。広告画像は、広告の配置領域で、撮影画像の中央からもっとも遠い位置に配置する。広告の配置領域に広告画像を配置できる空間が存在しない場合は、広告の配置領域を無視して、既定の位置へ（例えば、画面の左上または右下）広告画像を配置する。
【００２６】
カメラ１は、撮影画像に撮影日時を埋め込む機能を具備している。日付の写し込み機能が有効になっている場合、図５（ｃ）で示す日付２８の位置に、撮像を行ったときの日付が埋め込まれる。このとき、広告の埋め込みは、日付２８を避けるようにして行われる。広告画像は、広告の配置領域で、撮影画像の中央からもっとも遠い位置に配置する。広告の配置領域に広告画像を配置できる空間が存在しない場合は、広告の配置領域を無視して、既定の位置へ（例えば、画面の左上または右下）広告画像を配置する。
【００２７】
カメラ１を用いて撮像を行う際、撮影アシスト機能を用いることができる。撮影アシスト機能を有効にすると、図５（ｄ）のように液晶モニタ１４へアシスト枠２９が表示される。ユーザは選択したモードならびにアシスト枠２９を基に、撮影を行う。このとき、広告の埋め込みは、アシスト枠２９が表示されていた位置を避けるようにして行われる。広告画像は、広告の配置領域で、撮影画像の中央からもっとも遠い位置に配置する。広告の配置領域に広告画像を配置できる空間が存在しない場合は、広告の配置領域を無視して、既定の位置へ（例えば、画面の左上または右下）広告画像を配置する。
【００２８】
次に、パノラマモードでの撮像時における広告埋め込みを説明する。図６は、パノラマモードにおける広告埋め込みの例を示した図である。図６（ａ）のように、３回の撮影で１つのパノラマ画像を作成する場合、撮影画像（３０，３１，３２）同士を互いに少しずつ重ね合わせて合成し、１つのパノラマ画像を得る。パノラマモード有効時には、各々の撮影画像の左右両端の一定幅を、広告埋め込みを行わない領域とする。例えば撮影画像３１の場合、図６（ｂ）に示すように、左右の領域３３，３４には広告画像を埋め込まない。なお、パノラマモードで撮像を行う場合、広告画像はそれぞれの撮影画像（３０，３１，３２）に１つずつ埋め込んでもよいし、最終的に得られるパノラマ画像に対して１つだけ埋め込んでもよい。広告画像は、広告の配置領域で、撮影画像の中央からもっとも遠い位置に配置する。広告の配置領域に広告画像を配置できる空間が存在しない場合は、広告の配置領域を無視して、既定の位置へ（例えば、画面の左上または右下）広告画像を配置する。
【００２９】
撮影画像に文字が含まれていることを文字検出部７２検出した場合、文字を避ける広告画像の配置を試みる。図７は、文字が含まれた撮影画像の例である。図７に示された撮影画像３５には、文字列３６が含まれている。文字検出部７２が文字列３６を認識すると、広告配置部７３による広告画像の埋め込みの際、文字列３６を隠さないように広告画像が配置される。広告画像は、広告の配置領域で、撮影画像の中央からもっとも遠い位置に配置する。広告の配置領域に広告画像を配置できる空間が存在しない場合は、広告の配置領域を無視して、既定の位置へ（例えば、画面の左上または右下）広告画像を配置する。
【００３０】
上述した撮影画像への広告埋め込み処理について、フローチャートを基に説明する。図８は、撮影画像への広告埋め込み処理を説明するためのフローチャートである。まずステップＳ１では、広告の配置領域を撮影画像の全面に設定する。この段階では、広告画像は撮影画像のどこにでも配置されうる。ステップＳ２では、傾き検知装置１６によりカメラ１の傾きが検出され、傾きに応じた分だけ広告画像を回転する。ステップＳ３では、顔認識機能が有効になっているか否かを判定する。ステップＳ３により肯定判定がなされた場合、ステップＳ５に進み、広告の配置領域から顔認識枠の領域を除外する。他方、ステップＳ３において否定判定がなされた場合は、ステップＳ４に進み、広告の配置領域からフォーカス枠の領域を除外する。
【００３１】
ステップＳ６では、日付の写し込みが有効になっているか否かを判定する。日付の写し込みを行う設定になっていた場合、ステップＳ６により肯定判定がなされ、ステップＳ７に進む。ステップＳ７では、広告の配置領域から日付の写し込みを行う領域を除外して、ステップＳ８に進む。他方、ステップＳ６において否定判定がなされた場合は、ステップＳ８に進む。ステップＳ８では、撮影アシスト機能が有効になっているか否かを判定する。ステップＳ８により肯定判定がなされた場合、ステップＳ９へ進む。ステップＳ９では、広告の配置領域から撮影アシスト枠の領域を除外してステップＳ１０へ進む。他方、ステップＳ８において否定判定がなされた場合は、ステップＳ１０へ進む。ステップＳ１０では、パノラマモードが有効になっているか否かを判定する。ステップＳ１０により肯定判定がなされた場合、ステップＳ１１へ進み、広告の配置領域から撮影画像の左右一定幅を除外してステップＳ１２へ進む。他方、ステップＳ１０において否定判定がなされた場合は、ステップＳ１２へ進む。
【００３２】
ステップＳ１２では、これまでのステップで設定された広告の配置領域に基づいて、広告画像を配置する。広告画像は、広告の配置領域で、撮影画像の中央からもっとも遠い位置に配置する。広告の配置領域に広告画像を配置できる空間が存在しない場合は、広告の配置領域を無視して、既定の位置へ（例えば、画面の左上または右下）広告画像を配置する。
【００３３】
以下、広告画像を配置する手順を、図を用いて説明する。図９は、広告の配置領域へ広告画像を配置する処理を説明するための図である。図９（ａ）に、広告埋め込み前の撮影画像３７を、図９（ｂ）に、広告画像３８を示す。ステップＳ１２までの処理で除外された領域を、図９（ｃ）に示す。ここで、領域３９および４０は、顔認識枠に基づいて除外された領域であり、領域４１は、日付の写し込みを行う領域に基づいて除外された領域である。始めに、図９（ｄ）の矢印４２のように、広告画像を撮影画像の左上隅から右上隅まで少しずつ位置を変えながら、配置が可能な位置を探していく。右上隅に到達したら、図９（ｅ）に示すように、縦位置を所定の１単位だけ下方向へずらし、矢印４３のように左隅から右隅まで配置が可能な位置を探索する。以上の手続を、図９（ｆ）のように、広告の配置領域の最下部に到達するまで繰り返す。最後に、広告画像の配置が可能な位置のうち、撮影画像の中心からもっとも遠い位置に、広告画像が埋め込まれる。結果として、図９（ｇ）の撮影画像４５が得られる。
【００３４】
上述した第１の実施の形態によるカメラによれば、次の作用効果が得られる。
（１）撮影画像への広告の埋め込みが、顔認識枠などを可能な限り避けて行われる。これにより、被写体が広告画像によって覆われることを回避することができる。
（２）広告画像の形状は、カメラの傾きに応じて変化する。これにより、撮影画像の上下が広告と一致し、広告の可読性が向上する。
（３）広告画像は、撮影画像の中心からもっとも遠い位置に配置される。これにより、広告が撮影画像の中央部分を占有することを避けることができる。
【００３５】
第１の実施の形態では、広告画像は、撮影画像の中心からもっとも遠い位置に配置される。広告画像の配置を、撮影画像の情報を基に、より効果的な方法で行ってもよい。このような例を第２の実施の形態として説明する。
【００３６】
――第２の実施の形態――
本実施形態におけるカメラは、第１の実施の形態に加えて、撮影画像の輪郭検出を行う。広告の配置領域に対して輪郭検出を行い、広告の配置に適した大きさの輪郭が検出された場合は、広告画像をその輪郭に合致するような形状に変形し、輪郭の内部に広告画像を配置する。上記の輪郭検出処理は、公知の検出技術に基づいて制御回路７の輪郭検出部（図示せず）が行う。
【００３７】
本実施形態における広告の配置について、具体的な例を挙げて説明する。図１０は、第２の実施の形態における広告の配置例である。図１０（ａ）には、広告を埋め込む前の撮影画像４６が示されている。輪郭検出を行うと、領域４７の輪郭が検出されるので、広告画像は領域４７に配置される。図１０（ａ）の例において、領域４７の輪郭は矩形となっているが、例えば円形や多角形など、矩形以外の形状である輪郭も検出される。
【００３８】
図１０（ｂ）は、領域４７に実際に広告画像を配置した撮影画像４８である。広告画像４９が、輪郭に合致する形状に変形されて、撮影画像に埋め込まれている。なお、輪郭内広告を埋め込む際に、広告画像を変形することなく本来の形のまま埋め込むことができることは勿論である。
【００３９】
なお、輪郭検出ならびに広告の変形は、以上で述べたように、広告の配置領域を確定した後で行ってもよいし、それ以前の任意の段階で行ってもよい。
【００４０】
上述した第２の実施の形態によるカメラによれば、第１の実施の形態によるカメラで得られる作用効果に加えて、次の作用効果が得られる。広告画像を、撮影画像中の輪郭に合わせ変形して埋め込むことができる。これにより、撮影画像により自然な形で広告が埋め込まれ、より高い広告効果を得ることができる。
【００４１】
次のような変形も本発明の範囲内である。
（１）液晶モニタ１４に表示されるスルー画に対して、広告画像の埋め込み処理を行ってもよい。また、スルー画に広告画像そのものを表示するのではなく、広告画像の埋め込み位置を示すための枠のみを表示してもよい。
（２）広告画像の埋め込みは、カメラ自身が行うのではなく、別途ソフトウェアによって行われるようにしてもよい。この場合、記録媒体に格納された撮影画像を情報端末等に取り込んだ際に、取り込み先の情報端末によって駆動されるソフトウェアが、上述した広告埋め込み処理を実行する。
（３）上述の処理によって決定された広告画像の埋め込み位置をユーザに提示して、ユーザに広告画像の埋め込み位置を変更する操作を許してもよい。この場合、カメラ１は操作ボタンもしくはタッチパネルを備え、ユーザはそれらの入力装置を用いて新しい広告画像の埋め込み位置を決定する。
【００４２】
本発明の特徴を損なわない限り、本発明は上記実施の形態に限定されるものではなく、本発明の技術的思想の範囲内で考えられるその他の形態についても、本発明の範囲内に含まれる。
【００４３】
なお、以上説明した実施の形態におけるカメラの各構成要素と特許請求の範囲の各構成要素との対応関係は以下の通りである。本発明の撮像手段は撮像素子６に対応し、広告合成手段は広告配置部７３に対応する。
【００４４】
なお、以上の対応関係の説明は一例であり、権利解釈に際して何ら拘束されるものではない。
【図面の簡単な説明】
【００４５】
【図１】カメラ１の全体構成を示す斜視図である。
【図２】第１の実施の形態によるカメラの回路構成を示すブロック図である。
【図３】広告が埋め込まれた撮影画像の例を示す説明図である。
【図４】カメラ１を傾けて撮像を行い、広告画像を撮影画像の上部に埋め込んだときの撮影画像の例を示す説明図である。
【図５】カメラが広告の埋め込みを避ける領域を説明するための図である。
【図６】パノラマモードにおける広告埋め込みの例を示した図である。
【図７】文字が含まれた撮影画像の例を示す図である。
【図８】撮影画像への広告埋め込み処理を説明するためのフローチャートである。
【図９】広告の配置領域へ広告画像を配置する処理を説明するための図である。
【図１０】第２の実施の形態における広告の配置例を示す図である。
【符号の説明】
【００４６】
１  カメラ
７  制御回路
１４  液晶モニタ
１５  タイマー
１６  傾き検知装置
７１  顔検出部
７２  文字検出部
７３  広告配置部
【図１】
2009200784.tif 000003
【図２】
2009200784.tif 000004
【図３】
2009200784.tif 000005
【図４】
2009200784.tif 000006
【図５】
2009200784.tif 000007
【図６】
2009200784.tif 000008
【図７】
2009200784.tif 000009
【図８】
2009200784.tif 000010
【図９】
2009200784.tif 000011
【図１０】
2009200784.tif 000012